(57)【要約】【課題】現像カートリッジを提供する。【解決手段】現像カートリッジにおいて、トナーカートリッジと、トナーカートリッジ内に配置する現像剤攪拌装置と、現像ローラーに現像剤を供給する供給ローラーと、感光体上の静電潜像を現像する現像ローラーと、上記構成部材を連動することに用いるギア組のうちただ１つがパワーを受けることに用いられるパワーレセプタとからなり、前記パワーレセプタの回転が２つ以上の設定した位置に固定される。前記のパワーレセプタの最初の位置がパワー受け位置であり、パワーレセプタ駆動位置切替装置は、プレスブロック５、バッフルブロック８、バネおよびねじりバネから構成され、パワーレセプタの駆動位置切替位置がプレスブロックによって制御され、パワーレセプタ駆動位置切替装置のプレスブロックを押した後、パワーレセプタのバネの作用の下、もう１つのパワー受け位置に旋転される。【選択図】図１
2009526249.tif 000002
【特許請求の範囲】
【請求項１】
トナーカートリッジと、トナーカートリッジ内に配置する現像剤攪拌装置と、現像ローラーに現像剤を供給する供給ローラーと、感光体上の静電潜像を現像する現像ローラーと、
駆動パワーを受けるための、複数組からなるギアセットの内一組のみから駆動されるように、２以上の予め定められた位置に応じて固定されるよう回転可能とされたパワーレセプターとから構成されることを特徴とする現像カートリッジ。
【請求項２】
パワーレセプタの切り替え機構は、プレスブロック、バッフルブロック、バネおよびねじりバネから構成され、
パワーレセプタ切り替え機構は、プレスブロックにより制御され、プレスブロックを押し下げることにより、パワーレセプタはねじりバネの作用によって当初の駆動位置から他の駆動位置に回転される、ことを特徴とする請求項１記載の現像カートリッジ。
【請求項３】
パワーレセプタとギア２は一体化され、ギア２は側板６に設けられた軸の廻りに回転し、ギア２とギア３は側板６，７間に相対して配置され、現像カートリッジが画像形成装置に組み込まれると、パワーレセプタ１が駆動力を受けてギア２を回転し、ギア２とギア３が相互に噛み合い、ギア３とギア４が固定された構成によって、駆動力はギア４を介して順次現像装置の各転動部材に駆動力を伝達することを特徴とする請求項２記載の現像カートリッジ。
【請求項４】
プレスブロック５とバッフルブロック８の上端部８１が傾斜した台形面で相互に接し、パワーレセプタ１が図１，２に示す最初の位置にある時、バッフルブロック８の右端部８２は側板７に形成された凹孔１０内に挿入されて、側板7の回動を規制してギア２とパワーレセプタ１を最初の位置に固定し、この時、バネ９が拡張状態であることを特徴とする請求項２記載の現像カートリッジ。
【請求項５】
パワーレセプタ２を図示する第２駆動位置に切り替え配置する時、矢印に示すように、プレスブロック５を押下げて、プレスブロック５が相互に接する傾斜した台形面を介してプレスブロック上端部８１を図示左方に移動するように作用させ、バネ９を圧縮してバッフルブロック８を矢印の方向に押しやってその右端部８２を、側板７の凹孔１０から退出させ、
側板７の孔に一端を配置すると共に、他端をバッフル板の内底面に作用させるねじりバネ１１により、バッフルブロック８の右端部８２が凹孔から退出して規制から開放された側板７を回転させて、パワーレセプタ１を図示の回転方向に沿って第２駆動位置に回転させ、切り替え操作を完了することを特徴とする請求項１又は２又は３又は４記載の現像カートリッジ。
【請求項６】
前記上表面が平面である請求項５記載の現像カートリッジ。
【発明の詳細な説明】
【技術分野】
【０００１】
本発明は、電子写真現像装置に用いる現像カートリッジに関する。
【背景技術】
【０００２】
レーザープリンタ、コピー機、オールインワンプリンタ等の画像形成装置において、画像装置体として感光ドラムの表面に静電潜像を形成し、感光ドラム上の静電潜像を現像装置の現像剤載置体として現像ホルダー上に載置する現像カートリッジによって現像を行った後、可視画像を形成する。該現像剤像を転写材料上に転写し、定着装置により現像剤像を転写材料上に定着出力する。
【０００３】
従来技術の画像処理ユニットは、感光ユニットと現像ユニットとが分離可能に１つに組み合わされてなり、感光ユニット中には、少なくとも、感光ドラムと、転写ローラーと、を有し、現像ユニット内には、トナー、攪拌器、トナー供給ローラー、現像ローラー等を具える。この画像処理ユニットの感光ユニットと現像ユニットの現像原理、内部構造、内部構成部材および各部材の間の相対位置は、何れも基本的に同一である。メーカーが異なる機種を世に送り出すことにより、現像カートリッジを誤って異なる機種中に取り付けることを防止するため、異なる現像カートリッジは、機種に対応した取り付け限定ブロックを有し、機器の側壁上の駆動位置にもそれぞれ対応する構造を有する。これらの現像カートリッジの基本構造は、同一であるが、生産、販売、使用時に明確に区別する必要があり、そうでなければ、使用できず、不必要な社会コストを増加させている。
【特許文献１】特開２００３−２４８３５４号公報
【発明の開示】
【発明が解決しようとする課題】
【０００４】
本発明の目的は、上記問題を解決すること及び多種の画像形成装置に共通で用いることができる現像カートリッジを提供することである。
【課題を解決するための手段】
【０００５】
本発明の現像カートリッジは、トナーと、トナー内に配置する現像剤攪拌装置と、現像ローラーに現像剤を供給する供給ローラーと、感光体上の静電潜像を現像する現像ローラーと、上記構成部材を連動するギア組のうちただ１つがパワーを受けることに用いられるパワーレセプタと、からなり、前記パワーレセプタの回転が２つまたは２つ以上の設定した位置に固定されることを特徴とする。
【０００６】
本発明の特徴は、前記のパワーレセプタの最初の位置がパワー受け位置であり、パワーレセプタ駆動位置切替装置は、プレスブロック、バッフルブロック、バネおよびねじりバネから構成され、パワーレセプタの駆動位置切替位置がプレスブロックによって制御され、パワーレセプタ駆動位置切替装置のプレスブロックを押下げて、パワーレセプタのバネの作用により、もう１つのパワー受け位置に切り替えられることにある。
【０００７】
本発明のさらなる特徴は、パワーレセプタとギア２が１つの整体としてなり、ギア２が側板６上の軸を囲うように旋転し、ギア２とギア３が側板６，７によって相対固定され、現像カートリッジが画像形成装置に組み込まれる時、パワーレセプタ１がパワーを受けギア２の回転を連動し、ギア２とギア３が相互に噛み合い、ギア３とギア４が固定設置され、パワーがギア４を介して順次回転して出し、現像装置の各転動部材のパワーを連動する。
【０００８】
本発明のさらなる特徴は、プレスブロック５とバッフルブロック８の上端部８１が傾斜した台形面で相互に接し、パワーレセプタ１が図示する最初の位置にある時、バッフルブロック８の右端部８２が側板７に形成された凹孔１０内に挿入されて側板の駆動位置切替を規制してギア２とパワーレセプタ１を最初の位置に固定し、この時、バネ９が伸張状態にあることにある。
【０００９】
本発明のさらなる特徴は、パワーレセプタ２を第5図の図示する第２駆動位置に配置する必要がある時、その操作ステップは、矢印が示すように、プレスブロック５を押下げ、プレスブロック５が相互に接する傾斜した台形面を介してバッフルブロック上端部８１に作用して、バッフルブロック８を矢印の方向に押しやってバネ９を収縮し、その右端部８２は、側板7の凹孔１０から退出する。
ねじりバネ１１は、その一端の脚部を側壁６の孔内に配置すると共に他端の脚部をバッフル板１２の内底面に作用させて側板とバッフル板との間にバネ力を作用し、バッフルブロック８の右端部８２が凹孔１０から退出すると、バネ１１の弾力が側板６に作用してパワーレセプタ１を図示の回転方向に沿って第２駆動位置に回転させ、第２駆動位置への切り替え操作を完了する。
【００１０】
また、本発明の特徴は、上表面が平面であることにある。
【発明の効果】
【００１１】
本発明は、上記技術的構成により、出荷時に駆動位置がギア組側の１つの固定位置に配置され、使用者の簡単な操作により現像カートリッジの駆動位置を他の第２の位置に回転、変更することにより駆動位置が２つ以上の異なる位置にある多種の機種に適用することができる。これらの構成によってこの種の現像カートリッジを共通型として多機種に対して適用可能とし、社会資源を節減することができる。消耗品を生産する業者にとっても、異なる現像カートリッジが必要な複数の鋳型と生産ラインの製造工程を減少させることができる。販売者と使用者にとって、現像カートリッジの型番が多すぎることによる面倒を回避することができる。
【発明を実施するための最良の形態】
【００１２】
図１から図６は、本発明の実施例に基づく現像カートリッジである。
【００１３】
図１に示すパワーレセプタ１は、開始位置にあり、この位置は、パワー受け位置であり、パワーレセプタとギア２は１体成形され、ギア２は、側板６上の軸に固定されて回転する。ギア２とギア３は、側板６，７間に保持固定される。現像カートリッジが画像形成装置に組み込まれる時、パワーレセプタ１が駆動力を受けてギア２が回転し、ギア２とギア３は相互に噛み合い、ギア３とギア４は相互に固定されているため、駆動力はギア４を介して順次伝達されて現像装置の各転動部材を駆動する。
【００１４】
図２、図３に示すように、本発明中のパワーレセプタ駆動位置切替装置は、プレスブロック５、バッフルブロック８、バネ９から構成される。プレスブロック５とバッフルブロック８の上端部８１とが傾斜した台形面で相互に接する。パワーレセプタ１が図示する開始位置にある時、プレスブロック８の右端部８２が側板７上に形成された凹孔１０内に位置して側板のバッフル板に対する回転を規制し、ギア２とパワーレセプタ１を開始位置に固定し、この時、バネ９は伸びた状態にある。
【００１５】
図４、図５、図６に示すように、パワーレセプタ２を図示する第２駆動位置に配置する必要がある時、その操作ステップは、矢印が示すように、プレスブロック５を押下げると、プレスブロック５が傾斜した台形面に沿ってバッフルブロック上端部８１を図示左方に押しやってバネ９を圧縮し、バッフルブロック８は矢印の方向に駆動位置切替すると共にその右端部８２は、凹孔１０から退出する。
側板６上に配置されたねじりバネ１１は、その一端脚部を側板７に形成された孔内に配置すると共に他端の脚部がバッフル板１２の内底面に作用して側板７とバッフル板１２間でねじり力を作用する。
上記の操作により、バッフルブロック８の右端部８２が側板７の凹孔１０から退出すると、側板７はその規制を解かれてバネ１１の弾力によりパワーレセプタ１を図示の回転方向に沿って第２駆動位置に回転させ、操作を完了する。
【図面の簡単な説明】
【００１６】
【図１】本発明のパワーレセプタの第１駆動位置の組み立て図である。
【図２】本発明のパワーレセプタが第１駆動位置にある時の部分断面図である。
【図３】図２の側面断面図である。
【図４】本発明のパワーレセプタが第２駆動位置の組み立て図である。
【図５】本発明のパワーレセプタが第２駆動位置にある時の部分断面図である。
【図６】図５の側面断面図である。
【符号の説明】
【００１７】
１  パワーレセプタ
２，３，４  ギア
５  プレスブロック
６，７  側板
８  バッフルブロック
９，１１  バネ
１０  凹孔
１２  バッフルプレート
８１  上端部
８２  右端部
【図１】
2009526249.tif 000003
【図２】
2009526249.tif 000004
【図３】
2009526249.tif 000005
【図４】
2009526249.tif 000006
【図５】
2009526249.tif 000007
【図６】
2009526249.tif 000008
【国際調査報告】
2009526249.tif 000009
2009526249.tif 000010
2009526249.tif 000011
2009526249.tif 000012